(57)【要約】【課題】両開口が同時に閉じられる動物捕獲用檻を簡単に構成でき製造コストを軽減させるとともに、ロック機構を設けることで、動物を逃がすおそれなく確実に捕獲できるようにする。【解決手段】動物が進入し得る開口２，２を両端壁に形成した檻本体１と、上下にスライドすることにより前記開口を開閉させる一対の昇降扉４，４と、該昇降扉を一端に吊下し他端にフック８，８を設けた一対の吊ワイヤ６，６と、檻本体の一側部に水平面内で回転自在なるように軸支され両側に前記フックが掛け止められる係留部１３，１３を突設したワイヤ係留軸１２と、該ワイヤ係留軸の回転を阻止することで前記昇降扉を吊上状態に保持するカンチ杆１４と、一端を前記カンチ杆に繋いで檻本体内に張設した仕掛糸１９とからなり、該仕掛糸に引っ張られてカンチ杆が可動しワイヤ係留軸が回転自在となることで前記吊ワイヤの係留が外れ、昇降扉が自重で落下して両開口が同時に閉じられるようにするとともに、該昇降扉が落下したとき自動的に係合し該昇降扉を下降状態にロックするロック機構２０，２０を設ける。【選択図】図１
2005087072.tif 000002
【特許請求の範囲】
【請求項１】
動物が進入し得る開口を両端壁に形成した檻本体と、上下にスライドすることにより前記開口を開閉させる一対の昇降扉と、該昇降扉を一端に吊下し他端にフックを設けた一対の吊ワイヤと、檻本体の一側部に水平面内で回転自在なるように軸支され両側に前記フックが掛け止められる係留部を突設したワイヤ係留軸と、該ワイヤ係留軸の回転を阻止することで前記昇降扉を吊上状態に保持するカンチ杆と、一端を前記カンチ杆に繋いで檻本体内に張設した仕掛糸とからなり、該仕掛糸に引っ張られてカンチ杆が可動しワイヤ係留軸が回転自在となることで前記吊ワイヤの係留が外れ、昇降扉が自重で落下して両開口が同時に閉じられるようにするとともに、該昇降扉が落下したとき自動的に係合し該昇降扉を下降状態にロックするロック機構を設けてなることを特徴とした動物捕獲用檻。
【発明の詳細な説明】
【技術分野】
【０００１】
本発明は猪などの野生動物を捕獲するための動物捕獲用檻に関するものである。
【背景技術】
【０００２】
餌を仕掛けた檻の中に動物の進入を感知する張糸を設け、張糸が引っ張られると昇降扉の係留が外れて該昇降扉が自動的に落下し、檻の開口が閉じられるようにした猪などの野生動物を捕獲するための動物捕獲用檻は、下記特許文献１〜特許文献７によって知られている。
【特許文献１】特開２００３−５２２９６号公報
【特許文献２】特開２００３−３３１３４号公報
【特許文献３】特開平１０−２１５７５２号公報
【特許文献４】実用新案登録第３０８２９８４号公報
【特許文献５】実用新案登録第３０６９６６０号公報
【特許文献６】実用新案登録第３０６８８４６号公報
【特許文献７】実用新案登録第３０５０９６６号公報
【発明の開示】
【発明が解決しようとする課題】
【０００３】
ところで、従来の上記動物捕獲用檻では、概して構造が複雑であったので製造コストが掛かるとともに、昇降扉を自重で落下させた状態で動物を捕獲状態に保つものであったので、せっかく捕獲できても猪などの動物では例えば鼻先で昇降扉が持ち上げられ、逃げられるおそれがあった。
【課題を解決するための手段】
【０００４】
そこで本発明の動物捕獲用檻は、動物が進入し得る開口を両端壁に形成した檻本体と、上下にスライドすることにより前記開口を開閉させる一対の昇降扉と、該昇降扉を一端に吊下し他端にフックを設けた一対の吊ワイヤと、檻本体の一側部に水平面内で回転自在なるように軸支され両側に前記フックが掛け止められる係留部を突設したワイヤ係留軸と、該ワイヤ係留軸の回転を阻止することで前記昇降扉を吊上状態に保持するカンチ杆と、一端を前記カンチ杆に繋いで檻本体内に張設した仕掛糸とからなり、該仕掛糸に引っ張られてカンチ杆が可動しワイヤ係留軸が回転自在となることで前記吊ワイヤの係留が外れ、昇降扉が自重で落下して両開口が同時に閉じられるようにするとともに、該昇降扉が落下したとき自動的に係合し該昇降扉を下降状態にロックするロック機構を設けてなることを特徴とする。
【発明の効果】
【０００５】
ワイヤ係留軸の回転を許容することにより両開口が同時に閉じられる動物捕獲用檻を簡単に構成できるとともに、ロック機構を設けたことで、動物を逃がすおそれなく確実に捕獲できる。
【実施例１】
【０００６】
次に図面に従い本発明の一実施例を説明する。図１に示したように、檻本体１は、鉄筋を溶接することによって筒箱状に組み立てられ、両端壁に動物が進入し得る開口２，２が形成されたものである。３，３は横断面コ字状のチャンネル部材からなり開口２，２に門形に形成された案内レールで、該案内レールに両側縁部を遊嵌することにより該開口を開閉する昇降扉４，４が上下にスライド可能に設けられる。また、５，５は案内レール３，３の上部に設けられた滑車で、該滑車に通した吊ワイヤ６，６の一端を昇降扉４，４に止着７，７するとともに、該吊ワイヤの他端にフック８，８を設け、該フックを後述する係留部に掛け止め、該吊ワイヤ６，６を引張状態とすることによって昇降扉４，４を吊下し、開口２，２が開状態に保たれるようにしている。
【０００７】
また、図２にも示したように檻本体１の一側部に鉤状の取付板１０を固着し、該取付板の下面に軸受部材１１を垂直に固定し、軸受部材にワイヤ係留軸１２を水平面内で回転自在なるように軸支し、該ワイヤ係留軸の下端部に一対の係留部１３，１３をＴ字状に両側に突設している。そして、該係留部１３，１３に前記フック８，８を掛け止めている。また、１４は該ワイヤ係留軸が無用に回転しないようにするために設けられた直線棒状のカンチ杆で、取付板１０の外側面に軸支部１５を設け、該カンチ杆の上端部に設けられた支軸１６を該軸支部１５に枢着している。１７は取付板１０の外側面に設けられ該カンチ杆を支軸１６を支点として外方に付勢しているコイルバネで、該コイルバネの弾性により該カンチ杆１４が外方に付勢されることにより該カンチ杆１４は図３に示したように係留部１３，１３の回転範囲に介入することで該ワイヤ係留軸の回転が阻止されている。このため、カンチ杆１４が図示した状態であるときは前記昇降扉４，４が上動状態、即ち、吊下状態に保持されている。なお、１８は該カンチ杆が無用に動かないようにするために檻本体１の外側部に回転自在に設けた安全ストッパである。
【０００８】
また、１９は一端をカンチ杆１４の下端部に繋ぎ、他端を檻本体１の反対側壁に止着することにより檻本体１内に横断状に張設した透明ナイロン糸等からなる仕掛糸である。
【０００９】
また、２０，２０は昇降扉４，４が落下したとき自動的に係合し該昇降扉を下降状態にロックするロック機構で、該ロック機構は図４に示したように前記案内レール３，３の内底部に透孔２１を形成し、案内レール３，３の外側にブラケット２５を介してケース２６を固定支持し、該ケース内にコイルバネ２２によってロック軸２３を透孔２１方向に付勢して設け、昇降扉４，４が下降したときに図７に示したように該コイルバネの弾性により該ロック軸２３の先端が透孔２１から該昇降扉４，４上に突出することで該昇降扉が持ち上げられないようにしている。なお、ロック軸２３の基部にはリング２４が形成され、該リングを摘んで該ロック軸をコイルバネ２２の弾性に抗して引っ張ることでそのロック状態が解除され再設定のために昇降扉４，４を再び吊り上げられるようにしている。
【００１０】
なお、図示しないが、檻本体１は鉄筋を差し込み構造により連結することで上下に２分割できるように構成され、移動時に小型化され、分解，組立が容易にできるようにしている。
【００１１】
このように構成した動物捕獲用檻は、山中等の適宜場所に設置し、檻本体１内に餌を入れ、安全ストッパ１８を外しておくことで、その餌を食べるために檻本体１内に進入した猪等の動物が仕掛糸１９を引っ掛けることから、カンチ杆１４がコイルバネ１７の弾性に抗して檻本体１側に引っ張られる。このため、カンチ杆１４が図５，図６に示したように係留部１３，１３から外れワイヤ係留軸１２を回転自在にすることからフック８，８が該係留部１３，１３から外れ、吊ワイヤ６，６が弛んで両昇降扉４，４が落下して開口２，２が同時に閉じ、動物を檻本体１内に閉じ込める。また、そのときロック軸２３が図７に示したように該昇降扉４，４上に突出し該昇降扉が持ち上げられないようにする。このため閉じ込めた動物を逃がすことなく確実に捕獲することができる。
【００１２】
また、カンチ杆１４の動きによりワイヤ係留軸１２の回転が許容され、昇降扉４，４が同時に落下する構成であるので、檻本体１の両端壁に形成された開口２，２が同時に閉じるようにする動物捕獲用檻を簡単に構成することができ、この種の捕獲用檻の製作コストを大幅に軽減することができる。
【図面の簡単な説明】
【００１３】
【図１】本発明の一実施例を示す動物捕獲用檻の斜視図。
【図２】図１の動物捕獲用檻の仕掛け時の正面部分拡大図。
【図３】図２のＡ−Ａ線断面図。
【図４】図２のＢ−Ｂ線断面図。
【図５】図２の作動状態図。
【図６】図３の作動状態図。
【図７】図４の作動状態図。
【符号の説明】
【００１４】
１      檻本体
２      開口
３      案内レール
４      昇降扉
５      滑車
６      吊ワイヤ
７      止着
８      フック
１０    取付板
１１    軸受部材
１２    ワイヤ係留軸
１３    係留部
１４    カンチ杆
１５    軸支部
１６    支軸
１７    コイルバネ
１８    安全ストッパ
１９    仕掛糸
２０    ロック機構
２１    透孔
２２    コイルバネ
２３    ロック軸
【図１】
2005087072.tif 000003
【図２】
2005087072.tif 000004
【図３】
2005087072.tif 000005
【図４】
2005087072.tif 000006
【図５】
2005087072.tif 000007
【図６】
2005087072.tif 000008
【図７】
2005087072.tif 000009